(57)【要約】【課題】相手側のテレビ電話機からの発信を受信してから所定のタイミングとなるまでの間、映像データを相手側のテレビ電話機に送信することが可能なＩＰ電話ゲートウェイ装置を提供すること。【解決手段】ＤＲＡＭ１２およびフラッシュメモリ１３は、相手側のテレビ電話機に送信する映像データを記憶する。制御部１１は、相手側のテレビ電話機からの発信を受信してから所定のタイミングとなるまでの間、ＷＡＮ通信回路１４を制御してＤＲＡＭ１２またはフラッシュメモリ１３に記憶された映像データをＩＰ電話網６を介して相手側のテレビ電話機に送信させる。したがって、相手側のテレビ電話機からの発信を受信してから所定のタイミングとなるまでの間、相手側のテレビ電話機の利用者は映像データを楽しむことが可能となる。【選択図】図２
2009232411.tif 000002
【特許請求の範囲】
【請求項１】
インターネットプロトコル電話網を介してテレビ電話機の映像データを中継するゲートウェイ装置であって、
前記インターネットプロトコル電話網を介して映像データを送受信する通信手段と、
相手側のテレビ電話機に送信する映像データを記憶する記憶手段と、
前記相手側のテレビ電話機からの発信を受信してから所定のタイミングとなるまでの間、前記通信手段を制御して前記記憶手段に記憶された映像データを前記インターネットプロトコル電話網を介して前記相手側のテレビ電話機に送信させる制御手段とを含む、ゲートウェイ装置。
【請求項２】
前記制御手段は、前記相手側のテレビ電話機の電話番号が着信拒否の電話番号に相当する場合には、着信側のテレビ電話機に着信通知を行なわずに、前記通信手段を制御して前記記憶手段に記憶された映像データを前記インターネットプロトコル電話網を介して前記相手側のテレビ電話機に送信させる、請求項１記載のゲートウェイ装置。
【請求項３】
前記記憶手段は、テレビ電話機の複数の電話番号ごとに設定された複数の映像データを記憶し、
前記制御手段は、前記相手側のテレビ電話機の電話番号に対応する映像データを前記記憶手段から抽出し、前記通信手段を制御して前記抽出した映像データを前記インターネットプロトコル電話網を介して前記相手側のテレビ電話機に送信させる、請求項１または２記載のゲートウェイ装置。
【請求項４】
インターネットプロトコル電話網を介してテレビ電話機の映像データを中継するゲートウェイ装置であって、
前記インターネットプロトコル電話網を介して映像データを送受信する通信手段と、
相手側のテレビ電話機に送信する映像データを記憶する記憶手段と、
前記相手側のテレビ電話機と前記ゲートウェイ装置に接続されたテレビ電話機との通話中に、前記ゲートウェイ装置に接続されたテレビ電話機からの保留要求があったときに、前記通信手段を制御して前記記憶手段に記憶された映像データを前記インターネットプロトコル電話網を介して前記相手側のテレビ電話機に送信させる制御手段とを含む、ゲートウェイ装置。
【請求項５】
前記記憶手段は、テレビ電話機の複数の電話番号ごとに設定された複数の映像データを記憶し、
前記制御手段は、前記相手側のテレビ電話機の電話番号に対応する映像データを前記記憶手段から抽出し、前記通信手段を制御して前記抽出した映像データを前記インターネットプロトコル電話網を介して前記相手側のテレビ電話機に送信させる、請求項４記載のゲートウェイ装置。
【発明の詳細な説明】
【技術分野】
【０００１】
本発明は、テレビ電話機が接続されるＩＰ（Internet Protocol）電話ゲートウェイ装置に関し、特に、着信時におけるテレビ電話機の呼出し中などの所定のタイミングで自動的に相手側のテレビ電話機に映像データを送信するＩＰ電話ゲートウェイ装置に関する。
【背景技術】
【０００２】
近年、インターネット網を介して音声情報を送受信するＩＰ電話が普及してきており、さらには映像情報も送受信可能なテレビ電話システムの開発も進んでいる。このようなテレビ電話システムにおいては、相手のテレビ電話機からの着信を検出すると、自動応答して画像データを相手のテレビ電話機に送信するものがある。これに関連する技術として、下記の特許文献１および特許文献２に開示された発明がある。
【０００３】
特許文献１に開示されたテレビ電話装置においては、通信の相手装置からの発呼を鳴音検出器が検出すると、この検出した旨がＣＰＵ（Central Processing Unit）に伝えられる。ＣＰＵは、検出した旨の通知を鳴音検出器から受信すると、回線をクローズ（自動応答）する。そして、ＣＰＵは、自動応答後、通信の相手装置がテレビ電話であるか否かを検査する。この検査の結果、相手装置がテレビ電話装置である場合には、ＣＰＵはフラッシュメモリに格納されている音声データと画像データとを、留守番電話の応答メッセージとして相手方に送信する。
【０００４】
特許文献２に開示されたルータにおいては、ＬＡＮ（Local Area Network）とＰＡＮ（Personal Area Network）とを相互に接続し、ＩＰパケットを送信先に中継するルータが、ＬＡＮまたはＰＡＮにおけるＩＰ電話装置による通信の履歴情報を作成する通話履歴作成部と、ＩＰ通信装置からのＲＴＰ音声パケットおよび／またはＲＴＰ映像パケットを蓄積するＲＴＰパケット蓄積部とを備える。
【特許文献１】特開２０００−０１３５２９号公報
【特許文献２】特開２００５−０３９３４２号公報
【発明の開示】
【発明が解決しようとする課題】
【０００５】
上述した特許文献１に開示されたテレビ電話装置は、自動応答時にＣＰＵがフラッシュメモリに格納されている音声データと画像データとを、留守番電話の応答メッセージとして相手方に送信するので、留守電機能になっている場合には相手のテレビ電話装置に映像データを自動的に送信することができる。しかしながら、利用者がテレビ電話に出る場合には、それまで相手のテレビ電話装置に対して映像データを送信することはできない。また、利用者がテレビ電話を保留状態にしたときに相手に対して映像データを送りたい場合には対応できない。
【０００６】
また、特許文献２に開示されたルータは、ＩＰ通信装置からのＲＴＰ音声パケットおよび／またはＲＴＰ映像パケットを蓄積するものであるが、上述の問題点を解決することはできない。
【０００７】
本発明は、上記問題点を解決するためになされたものであり、第１の目的は、相手側のテレビ電話機からの発信を受信してから所定のタイミングとなるまでの間、映像データを相手側のテレビ電話機に送信することが可能なゲートウェイ装置を提供することである。
【０００８】
第２の目的は、通話中にゲートウェイ装置に接続されたテレビ電話機からの保留要求があったときに、映像データを相手側のテレビ電話機に送信することが可能なゲートウェイ装置を提供することである。
【課題を解決するための手段】
【０００９】
本発明のある局面に従えば、インターネットプロトコル電話網を介してテレビ電話機の映像データを中継するゲートウェイ装置であって、インターネットプロトコル電話網を介して映像データを送受信する通信手段と、相手側のテレビ電話機に送信する映像データを記憶する記憶手段と、相手側のテレビ電話機からの発信を受信してから所定のタイミングとなるまでの間、通信手段を制御して記憶手段に記憶された映像データをインターネットプロトコル電話網を介して相手側のテレビ電話機に送信させる制御手段とを含む。
【００１０】
制御手段が、相手側のテレビ電話機からの発信を受信してから所定のタイミングとなるまでの間、映像データを相手側のテレビ電話機に送信させるので、相手側のテレビ電話機の利用者は映像データを楽しむことが可能となる。
【００１１】
好ましくは、制御手段は、相手側のテレビ電話機の電話番号が着信拒否の電話番号に相当する場合には、着信側のテレビ電話機に着信通知を行なわずに、通信手段を制御して記憶手段に記憶された映像データをインターネットプロトコル電話網を介して相手側のテレビ電話機に送信させる。
【００１２】
したがって、相手側のテレビ電話機の利用者に対して容易に着信拒否であることを通知することが可能となる。
【００１３】
好ましくは、記憶手段は、テレビ電話機の複数の電話番号ごとに設定された複数の映像データを記憶し、制御手段は、相手側のテレビ電話機の電話番号に対応する映像データを記憶手段から抽出し、通信手段を制御して抽出した映像データをインターネットプロトコル電話網を介して相手側のテレビ電話機に送信させる。
【００１４】
したがって、相手のテレビ電話機の利用者の好みに合致した映像データを送信することが可能となる。
【００１５】
本発明の別の局面に従えば、インターネットプロトコル電話網を介してテレビ電話機の映像データを中継するゲートウェイ装置であって、インターネットプロトコル電話網を介して映像データを送受信する通信手段と、相手側のテレビ電話機に送信する映像データを記憶する記憶手段と、相手側のテレビ電話機とゲートウェイ装置に接続されたテレビ電話機との通話中に、ゲートウェイ装置に接続されたテレビ電話機からの保留要求があったときに、通信手段を制御して記憶手段に記憶された映像データをインターネットプロトコル電話網を介して相手側のテレビ電話機に送信させる制御手段とを含む。
【００１６】
制御手段が、ゲートウェイ装置に接続されたテレビ電話機からの保留要求があったときに、映像データを相手側のテレビ電話機に送信させるので、相手側のテレビ電話機の利用者はゲートウェイ装置に接続されたテレビ電話機の保留が解除されるまで映像データを楽しむことが可能となる。
【００１７】
好ましくは、記憶手段は、テレビ電話機の複数の電話番号ごとに設定された複数の映像データを記憶し、制御手段は、相手側のテレビ電話機の電話番号に対応する映像データを記憶手段から抽出し、通信手段を制御して抽出した映像データをインターネットプロトコル電話網を介して相手側のテレビ電話機に送信させる。
【００１８】
したがって、相手のテレビ電話機の利用者の好みに合致した映像データを送信することが可能となる。
【発明の効果】
【００１９】
制御手段が、相手側のテレビ電話機からの発信を受信してから所定のタイミングとなるまでの間、映像データを相手側のテレビ電話機に送信させるので、相手側のテレビ電話機の利用者は映像データを楽しむことが可能となる。
【発明を実施するための最良の形態】
【００２０】
（第１の実施の形態）
図１は、本発明の第１の実施の形態における通信システムの構成例を示すブロック図である。この通信システムは、ＩＰ電話ゲートウェイ装置１と、ＩＰ電話ゲートウェイ装置１に接続されるテレビ電話機２およびＩＰ電話機３と、ＩＰ電話網６を介して接続されるＩＰ電話機４およびテレビ電話機５とを含む。
【００２１】
ＩＰ電話ゲートウェイ装置１は、相手側のＩＰ電話機４またはテレビ電話機５からテレビ電話機２に対して発信があると、テレビ電話機２の着信タイムアウトとなるか、またはテレビ電話機２からの応答があるまで相手側の電話番号に応じた映像データをメモリから読み出し、相手側のＩＰ電話機４またはテレビ電話機５に送信する。
【００２２】
また、相手側の電話番号が着信拒否の電話番号に相当する場合には、ＩＰ電話ゲートウェイ装置１は、着信拒否用の映像データをメモリから読み出し、相手側のＩＰ電話機４またはテレビ電話機５に送信する。
【００２３】
また、ＩＰ電話ゲートウェイ装置１は、テレビ電話機２が保留状態となるのを検出すると、相手側の電話番号に応じた映像データをメモリから読み出し、相手側のＩＰ電話機４またはテレビ電話機５に送信する。なお、映像データに音声データが含まれてもよいことは言うまでない。
【００２４】
図２は、本発明の第１の実施の形態におけるＩＰ電話ゲートウェイ装置１の概略構成を示すブロック図である。このＩＰ電話ゲートウェイ装置１は、ＩＰ電話ゲートウェイ装置１の全体的な制御を行なう制御部１１と、ＤＲＡＭ（Dynamic Random Access Memory）１２と、フラッシュメモリ１３と、ＷＡＮ（Wide Area Network）通信回路１４と、無線通信回路１５と、ＬＡＮ通信回路１６と、ＳＬＩＣ（Subscriber Line Interface Circuit）１７と、電源１８と、着信条件判定テーブル１９とを含む。
【００２５】
制御部１１は、ＣＰＵがメモリに記憶されたプログラムを実行することにより、その機能が実現される。ＣＰＵがプログラムを実行して実現する機能として、大きくＶｏＩＰ（Voice over Internet Protocol）アプリケーションソフト２１と、ＩＰパケット処理部２２とがある。
【００２６】
ＩＰパケット処理部２２は、ＷＡＮ通信回路１４、無線通信回路１５およびＬＡＮ通信回路１６を制御して、各機器との間のＩＰパケットの送受信の制御などを行なう。たとえば、ＷＡＮ通信回路１４を介して受信したＩＰパケットの宛先がテレビ電話機２であれば、ＬＡＮ通信回路１６を制御してそのＩＰパケットをテレビ電話機２に転送する。また、ＬＡＮ通信回路１６を介してテレビ電話機２からＩＰパケットを受信すると、そのＩＰパケットをＷＡＮ通信回路１４を介してＩＰ電話網６に送信する。
【００２７】
ＶｏＩＰアプリケーションソフト２１は、後述するように、パーソナルコンピュータ（ＰＣ）７からの指示を受けて相手側に送信する映像データの設定をしたり、相手側からの着信があった場合に自動応答して相手側に映像データを送信したり、テレビ電話機２が保留状態となった場合に相手側に映像データを送信したりする。
【００２８】
ＷＡＮ通信回路１４は、終端装置１０を介してＩＰ電話網（広域ネットワーク）６に接続され、ＩＰ電話網６および終端装置１０を介してＩＰパケットの送受信を行なう。終端装置１０は、ＡＤＳＬ（Asymmetric Digital Subscriber Line）、ＶＤＳＬ（Very high-bit-rate Digital Subscriber Line）、ＰＯＮ（Passive Optical Network）などのモデムであり、ＩＰ電話網６に接続できるものであれば特に限定されるものではない。
【００２９】
無線通信回路１５は、無線によって無線ＩＰ電話機９などとの間でＩＰパケットの送受信を行なう。この無線通信回路１５は、ＩＥＥＥ８０２．１１ａ，ｂ，ｇなどの無線ＬＡＮや、ｂｌｕｅｔｏｏｔｈ、ＩｒＤＡ（Infrared Data Association）、Ｚｉｇｂｅｅなどの無線通信に対応している。
【００３０】
ＬＡＮ通信回路１６は、イーサネット（登録商標）によってテレビ電話機２、ＩＰ電話機３、ＰＣ７などと接続される。ＬＡＮ通信回路１６は、これらの機器との間で有線によりＩＰパケットの送受信を行なう。
【００３１】
ＳＬＩＣ１７は、アナログ電話機８と有線により接続され、制御部１１による制御によってアナログ電話機８のオフフックの検出処理、リンガ信号の生成処理などを行なう。
【００３２】
ＤＲＡＭ１２およびフラッシュメモリ１３は、相手側に送信する映像データなどを記憶する。制御部１１は、ＰＣ７、図示しない携帯電話機などから受けた映像データを、相手のテレビ電話機５などで再生可能となるようにコーディック変換を行ない、ＤＲＡＭ１２またはフラッシュメモリ１３に蓄積する。
【００３３】
このとき、保存の必要がない（停電などで電源がオフになったときに消去されてもよい）映像データをＤＲＡＭ１２に書き込み、保存の必要がある映像データをフラッシュメモリ１３に書き込む。また、ＤＲＡＭ１２に記憶される映像データの保存が必要となった場合には、フラッシュメモリ１３に転送するようにすることも可能である。
【００３４】
なお、本実施の形態においては、保存の必要がある映像データをフラッシュメモリ１３に記憶するとして説明するが、たとえばハードディスク、バックアップ付きのＳＲＡＭ（Static Random Access Memory）など、ＩＰ電話ゲートウェイ装置１の電源がオフになった場合でも、データを保持しているものであればよく、フラッシュメモリに限定されない。
【００３５】
着信条件判定テーブル１９は、相手の電話番号に基づいてどの映像データを送信するかを検索する際に用いられる情報を格納する。
【００３６】
図３は、本発明の第１の実施の形態におけるＩＰ電話ゲートウェイ装置１の映像データ送信時のシーケンス（有償モード時）を説明するための図である。まず、発信者がＩＰ電話機４またはテレビ電話機５からテレビ電話機２に映像セッションの開始要求を行なうと、ＩＰ電話ゲートウェイ装置１にＩＮＶＩＴＥリクエストが送信される（Ｔ１１）。ＩＰ電話ゲートウェイ装置１は、発信者からＩＮＶＩＴＥリクエストを受信すると、テレビ電話機２に対してＩＮＶＩＴＥリクエストを送信する（Ｔ１２）。
【００３７】
テレビ電話機２はＩＮＶＩＴＥリクエストを受信すると、ＩＰ電話ゲートウェイ装置１に対して１８０  Ｒｉｎｇｉｎｇレスポンスを送信して呼出し中であることを通知する（Ｔ１３）。ＩＰ電話ゲートウェイ装置１は、テレビ電話機２から１８０  Ｒｉｎｇｉｎｇレスポンスを受信すると、発信者に対して１８０  Ｒｉｎｇｉｎｇレスポンスを送信する（Ｔ１４）。
【００３８】
次に、ＩＰ電話ゲートウェイ装置１は自動応答を行なうために、発信者に対して２００  ＯＫレスポンスを送信する（Ｔ１５）。ＩＰ電話ゲートウェイ装置１が発信者からＡＣＫリクエストを受信すると、映像セッション（蓄積された映像データの送出）が確立される（Ｔ１７）。
【００３９】
図４は、本発明の第１の実施の形態におけるＩＰ電話ゲートウェイ装置１の映像データ送信時のシーケンス（無償モード時）を説明するための図である。まず、発信者がＩＰ電話機４またはテレビ電話機５からテレビ電話機２に映像セッションの開始要求を行なうと、ＩＰ電話ゲートウェイ装置１にＩＮＶＩＴＥリクエストが送信される（Ｔ２１）。
【００４０】
ＩＰ電話ゲートウェイ装置１は、発信者からＩＮＶＩＴＥリクエストを受信すると、自動応答を行なうために発信者に１８３  ｓｅｓｓｉｏｎ  ｐｒｏｇｒｅｓｓ（１８３  ｗ／ＳＤＰ暫定応答）を送信し（Ｔ２２）、映像セッション（蓄積された映像データの送出）が確立される（Ｔ２３）。
【００４１】
そして、発信者からＣＡＮＣＥＬリクエストを受信すると（Ｔ２４）、ＩＰ電話ゲートウェイ装置１は映像セッションを中止する。
【００４２】
図５は、本発明の第１の実施の形態におけるＰＣ７の映像データ設定画面の一例を示す図である。ＰＣ７の画面上に図５に示すようなｗｅｂ画面が表示される。ユーザが電話番号ごとに、タイムアウト／着信拒否指定、コーディック変換された映像データの指定、日時指定を設定すると、これらの設定内容がＰＣ７からＩＰ電話ゲートウェイ装置１に送信される。ＩＰ電話ゲートウェイ装置１は、ＰＣ７からこれらの設定内容を受信すると、着信条件判定テーブル１９に格納する。
【００４３】
タイムアウト／着信拒否指定においてタイムアウトが設定されると、その電話番号からの発信があった場合に、着信タイムアウトになるまで指定された映像データを相手側に送信する。このとき、日時指定があれば、その期間中だけ指定された映像データを送信することを表している。日時指定の期間外であれば、デフォルトの映像データを送信したり、ランダムに映像データを選択して送信したりする。
【００４４】
また、タイムアウト／着信拒否指定において着信拒否が設定されると、その電話番号からの発信があった場合に、指定された映像データを相手側に送信して着信拒否であることを通知する。なお、映像データの送出は、コーディック変換された映像データをＲＴＰ／ＵＤＰ／ＩＰパケットのペイロードに格納して送信することにより行なわれる。
【００４５】
図６〜８は、本発明の第１の実施の形態におけるＩＰ電話ゲートウェイ装置１の処置手順を説明するためのフローチャートである。まず、制御部１１は、ＷＡＮ通信回路１４を介して発信者からのＩＮＶＩＴＥを受信すると、テレビ電話着信であることを確認する（Ｓ１１）。
【００４６】
次に、制御部１１は、相手のテレビ電話機５の電話番号に基づいて、着信条件判定テーブル１９を検索する（Ｓ１２）。その電話番号に対して着信拒否が設定されていれば（Ｓ１２，着信拒否）、相手のテレビ電話機５に対して１８３  ｗ／ＳＤＰ暫定応答を送信し（Ｓ１３）、着信条件判定テーブル１９に設定されている着信拒否用映像データをＤＲＡＭ１２またはフラッシュメモリ１３から読み出し、その映像データの送出を開始する（Ｓ１４）。このとき、タイマのカウントを開始させる。このタイマには、相手のテレビ電話機５からＣＡＮＣＥＬを受信しない場合に、着信拒否用映像データを送信し続ける時間（着信拒否時間）が予め設定されている。この着信拒否時間は、ＰＣ７のｗｅｂ画面から設定できるようにしてもよい。
【００４７】
次に、制御部１１は、タイマのカウントが満了したか否かを判定する（Ｓ１５）。タイマのカウントが満了すれば（Ｓ１５，Ｙｅｓ）、相手のテレビ電話機５に対して４０３  着信拒否応答を送信し（Ｓ１６）、着信拒否用映像データの送出を停止して（Ｓ１８）、処理を終了する。
【００４８】
また、タイマのカウントが満了する前に（Ｓ１５，Ｎｏ）、相手のテレビ電話機５から着信ＣＡＮＣＥＬを受信すると（Ｓ１７）、着信拒否用映像データの送出を停止して（Ｓ１８）、処理を終了する。
【００４９】
ステップＳ１２において、相手のテレビ電話機５の電話番号に対してタイムアウトが設定されていれば（Ｓ１２，着信呼び出し）、内線ＩＰのテレビ電話機２に対してＩＮＶＩＴＥを送信することにより着信通知を行ない（Ｓ１９）、有償着信モードであるか、無償着信モードであるかを判定する（Ｓ２０）。
【００５０】
無償着信モードであれば（Ｓ２０，無償モード）、図７に示すように、相手のテレビ電話機５に対して１８３  ｗ／ＳＤＰ暫定応答を送信し（Ｓ２１）、着信条件判定テーブル１９に設定された映像データをＤＲＡＭ１２またはフラッシュメモリ１３から読み出し、相手のテレビ電話機５に対して呼び出し中映像データとして送出を開始する（Ｓ２２）。このとき、タイマのカウントを開始させる。このタイマには、内線ＩＰのテレビ電話機２からの応答を受信しない場合に、呼び出し中映像データを送信し続ける時間（着信タイムアウト時間）が予め設定されている。この着信タイムアウト時間は、ＰＣ７のｗｅｂ画面から設定できるようにしてもよい。
【００５１】
次に、制御部１１は、タイマのカウントが満了したか否かを判定する（Ｓ２３）。タイマのカウントが満了する前に（Ｓ２３，Ｎｏ）、内線ＩＰのテレビ電話機２から応答を受信すると（Ｓ２４）、相手のテレビ電話機５に対して２００  着信応答通知を送信し（Ｓ２５）、内線ＩＰのテレビ電話機２からの映像データの中継送信に切替え（Ｓ２６）、通常の通話状態となる。
【００５２】
また、タイマのカウントが満了すれば（Ｓ２３，Ｙｅｓ）、内線ＩＰのテレビ電話機２に対して着信中止を通知し（Ｓ２７）、相手のテレビ電話機５に対して４０８  呼出タイムアウト応答を送信し（Ｓ２８）、呼び出し中映像データの送出を停止して（Ｓ２９）、処理を終了する。
【００５３】
また、図６のステップＳ２０において、有償着信モードであれば（Ｓ２０，有償モード）、図８に示すように、相手のテレビ電話機５に対して２００  着信応答通知を送信し（Ｓ３１）、着信条件判定テーブル１９に設定された映像データをＤＲＡＭ１２またはフラッシュメモリ１３から読み出し、相手のテレビ電話機５に対して呼び出し中映像データとして送出を開始する（Ｓ３２）。このとき、タイマのカウントを開始させる。このタイマには、内線ＩＰのテレビ電話機２からの応答を受信しない場合に、呼び出し中映像データを送信し続ける時間（着信タイムアウト時間）が予め設定されている。
【００５４】
次に、制御部１１は、タイマのカウントが満了したか否かを判定する（Ｓ３３）。タイマのカウントが満了する前に（Ｓ３３，Ｎｏ）、内線ＩＰのテレビ電話機２から応答を受信すると（Ｓ３４）、内線ＩＰのテレビ電話機２からの映像データの中継送信に切替え（Ｓ３５）、通常の通話状態となる。
【００５５】
また、タイマのカウントが満了すれば（Ｓ３３，Ｙｅｓ）、内線ＩＰのテレビ電話機２に対して着信中止を通知し（Ｓ３６）、相手のテレビ電話機５に対して通話切断（ＢＹＥ）を送信し（Ｓ３７）、呼び出し中映像データの送出を停止して（Ｓ３８）、処理を終了する。
【００５６】
また、図６のステップＳ１２において、着信拒否およびタイムアウトのいずれの設定もなければ（Ｓ１２，一般着信）、通常の着信として内線ＩＰのテレビ電話機２に着信を通知する。なお、この処理は一般的なものであるので、詳細な説明は省略する。
【００５７】
以上説明したように、本実施の形態におけるＩＰ電話ゲートウェイ装置１によれば、相手側のテレビ電話機５からの着信があった場合に、内線ＩＰのテレビ電話機２からの応答があるか着信タイムアウトとなるまで、制御部１１が呼び出し中映像データを相手側のテレビ電話機５に対して送信するようにしたので、発信者はテレビ電話機２からの応答があるか着信タイムアウトとなるまで送られてくる映像データを楽しむことが可能となった。
【００５８】
また、相手側のテレビ電話機５の電話番号が着信拒否の電話番号に相当する場合には、制御部１１が着信拒否用映像データを相手側のテレビ電話機５に対して送信するようにしたので、発信者に対して容易に着信拒否であることを通知することが可能となった。
【００５９】
また、相手側のテレビ電話機５の電話番号に基づいて着信条件判定テーブル１９を検索し、電話番号ごとに送信する映像データを変更するようにしたので、発信者の好みに合致した映像データを送信することが可能となった。
【００６０】
（第２の実施の形態）
本発明の第２の実施の形態における通信システムの構成例、およびＩＰ電話ゲートウェイ装置の概略構成は、図１に示す第１の実施の形態における通信システムの構成例、および図２に示す第１の実施の形態におけるＩＰ電話ゲートウェイ装置の概略構成と同様である。したがって、重複する構成および機能の詳細な説明は繰り返さない。
【００６１】
図９は、本発明の第２の実施の形態におけるＩＰ電話ゲートウェイ装置１の映像データ送信時のシーケンス（保留要求時）を説明するための図である。まず、発信者がＩＰ電話機４またはテレビ電話機５からテレビ電話機２に映像セッションの開始要求を行なうと、ＩＰ電話ゲートウェイ装置１にＩＮＶＩＴＥリクエストが送信される（Ｔ３１）。ＩＰ電話ゲートウェイ装置１は、発信者からＩＮＶＩＴＥリクエストを受信すると、テレビ電話機２に対してＩＮＶＩＴＥリクエストを送信する（Ｔ３２）。
【００６２】
テレビ電話機２はＩＮＶＩＴＥリクエストを受信すると、ＩＰ電話ゲートウェイ装置１に対して１８０  Ｒｉｎｇｉｎｇレスポンスを送信して呼出し中であることを通知する（Ｔ３３）。ＩＰ電話ゲートウェイ装置１は、テレビ電話機２から１８０  Ｒｉｎｇｉｎｇレスポンスを受信すると、発信者に対して１８０  Ｒｉｎｇｉｎｇレスポンスを送信する（Ｔ３４）。
【００６３】
次に、ＩＰ電話ゲートウェイ装置１はテレビ電話機２から２００  ＯＫレスポンスを受信すると（Ｔ３５）、発信者に対して２００  ＯＫレスポンスを送信する（Ｔ３６）。そして、ＩＰ電話ゲートウェイ装置１が発信者からＡＣＫリクエストを受信すると（Ｔ３７）、テレビ電話機２に対してＡＣＫリクエストを送信して（Ｔ３８）、映像セッション（ＴＶ電話）が確立される（Ｔ３９）。
【００６４】
ＴＶ電話中にテレビ電話機２の利用者が保留要求を出すと、ＩＰ電話ゲートウェイ装置１はテレビ電話機２からｒｅ−ＩＮＶＩＴＥ（ＵＰＤＡＴＥ）リクエストを受信する（Ｔ４０）。このとき、ＩＰ電話ゲートウェイ装置１は、保留音と共に、ＤＲＡＭ１２またはフラッシュメモリ１３に蓄積された映像データの送出を行なう（Ｔ４１）。
【００６５】
そして、テレビ電話機２の利用者が保留解除要求を出すと、ＩＰ電話ゲートウェイ装置１はテレビ電話機２からｒｅ−ＩＮＶＩＴＥ（ＵＰＤＡＴＥ）リクエストを受信する（Ｔ４２）。このとき、ＩＰ電話ゲートウェイ装置１はＤＲＡＭ１２またはフラッシュメモリ１３に蓄積された映像データの送出を停止して、テレビ電話機２からの映像データの中継送信に切替える（Ｔ４３）。
【００６６】
図１０は、本発明の第２の実施の形態におけるＰＣ７の保留設定画面の一例を示す図である。ＰＣ７の画面上に図１０に示すようなｗｅｂ画面が表示される。ユーザが電話番号ごとに、保留指定、コーディック変換された映像データの指定、日時指定を設定すると、これらの設定内容がＰＣ７からＩＰ電話ゲートウェイ装置１に送信される。ＩＰ電話ゲートウェイ装置１は、ＰＣ７からこれらの設定内容を受信すると、保留条件判定テーブル１９に格納する。
【００６７】
保留指定が設定されると、その電話番号のテレビ電話機との通話中にテレビ電話機２からの保留要求があると、保留解除になるまで指定された映像データを相手側に送信する。このとき、日時指定があれば、その期間中だけ指定された映像データを送信することを表している。日時指定の期間外であれば、デフォルトの映像データを送信したり、ランダムに映像データを選択して送信したりする。
【００６８】
また、保留指定がない場合には、その電話番号のテレビ電話機との通話中にテレビ電話機２からの保留要求があったとしても、映像データの送出は行なわない。なお、映像データの送出は、コーディック変換された映像データをＲＴＰ／ＵＤＰ／ＩＰパケットのペイロードに格納して送信することにより行なわれる。
【００６９】
図１１は、本発明の第２の実施の形態におけるＩＰ電話ゲートウェイ装置１の処置手順を説明するためのフローチャートである。まず、テレビ電話機２の発着信によってテレビ電話の通話中に遷移した後（Ｓ４１）、テレビ電話機２から保留要求メッセージを受信すると（Ｓ４２）、制御部１１は保留条件判定テーブル１９を検索する（Ｓ４３）。
【００７０】
相手側のテレビ電話機５の電話番号に対して専用の映像データが設定されていれば（Ｓ４３，専用データあり）、保留条件判定テーブル１９に設定された映像データをＤＲＡＭ１２またはフラッシュメモリ１３から読み出し、相手のテレビ電話機５に対して保留用映像データとして送出を開始する（Ｓ４４）。
【００７１】
また、相手側のテレビ電話機５の電話番号に対して専用の映像データが設定されていなければ（Ｓ４３，専用データなし）、デフォルトの映像データをＤＲＡＭ１２またはフラッシュメモリ１３から読み出し、相手のテレビ電話機５に対して保留用映像データとして送出を開始する（Ｓ４５）。
【００７２】
ステップＳ４６において、テレビ電話機２から保留解除要求メッセージを受信すると、ステップＳ４１に戻ってテレビ電話通話中に遷移し、以降の処理を繰り返す。
【００７３】
以上説明したように、本実施の形態におけるＩＰ電話ゲートウェイ装置１によれば、テレビ電話の通話中にテレビ電話機２から保留要求メッセージを受信すると、制御部１１が保留用映像データを相手側のテレビ電話機５に対して送信するようにしたので、相手側のテレビ電話機５の利用者はテレビ電話機２の保留が解除されるまで送られてくる映像データを楽しむことが可能となった。
【００７４】
また、相手側のテレビ電話機５の電話番号に基づいて保留条件判定テーブル１９を検索し、電話番号ごとに送信する映像データを変更するようにしたので、発信者の好みに合致した映像データを送信することが可能となった。
【００７５】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７６】
【図１】本発明の第１の実施の形態における通信システムの構成例を示すブロック図である。
【図２】本発明の第１の実施の形態におけるＩＰ電話ゲートウェイ装置１の概略構成を示すブロック図である。
【図３】本発明の第１の実施の形態におけるＩＰ電話ゲートウェイ装置１の映像データ送信時のシーケンス（有償モード時）を説明するための図である。
【図４】本発明の第１の実施の形態におけるＩＰ電話ゲートウェイ装置１の映像データ送信時のシーケンス（無償モード時）を説明するための図である。
【図５】本発明の第１の実施の形態におけるＰＣ７の映像データ設定画面の一例を示す図である。
【図６】本発明の第１の実施の形態におけるＩＰ電話ゲートウェイ装置１の処置手順を説明するためのフローチャート（その１）である。
【図７】本発明の第１の実施の形態におけるＩＰ電話ゲートウェイ装置１の処置手順を説明するためのフローチャート（その２）である。
【図８】本発明の第１の実施の形態におけるＩＰ電話ゲートウェイ装置１の処置手順を説明するためのフローチャート（その３）である。
【図９】本発明の第２の実施の形態におけるＩＰ電話ゲートウェイ装置１の映像データ送信時のシーケンス（保留要求時）を説明するための図である。
【図１０】本発明の第２の実施の形態におけるＰＣ７の保留設定画面の一例を示す図である。
【図１１】本発明の第２の実施の形態におけるＩＰ電話ゲートウェイ装置１の処置手順を説明するためのフローチャートである。
【符号の説明】
【００７７】
１  ＩＰ電話ゲートウェイ装置、２  テレビ電話機、３，４  ＩＰ電話機、５  テレビ電話機、６  ＩＰ電話網、７  ＰＣ、８  アナログ電話機、９  無線ＩＰ電話機、１０  終端装置、１１  制御部、１２  ＤＲＡＭ、１３  フラッシュメモリ、１４  ＷＡＮ通信回路、１５  無線通信回路、１６  ＬＡＮ通信回路、１７  ＳＬＩＣ、１８  電源、１９  着信（保留）条件判定テーブル、２１  ＶｏＩＰアプリケーションソフト、２２  ＩＰパケット処理部。
【図１】
2009232411.tif 000003
【図２】
2009232411.tif 000004
【図３】
2009232411.tif 000005
【図４】
2009232411.tif 000006
【図５】
2009232411.tif 000007
【図６】
2009232411.tif 000008
【図７】
2009232411.tif 000009
【図８】
2009232411.tif 000010
【図９】
2009232411.tif 000011
【図１０】
2009232411.tif 000012
【図１１】
2009232411.tif 000013